【手続補正書】
【提出日】令和2年3月12日(2020.3.12)
【手続補正１】
【補正対象書類名】特許請求の範囲
【補正対象項目名】全文
【補正方法】変更
【補正の内容】
【特許請求の範囲】
【請求項１】
モノリシック機構（１３）を備える時計のための装置であって、前記モノリシック機構（１３）は、
−  支持体（１５）と、
−  少なくとも１つの慣性調節部材（２９、３０）と、
−  前記少なくとも１つの慣性調節部材（２９、３０；  １１８）を前記支持体（１５）につなげ、特定の全体厚さを有する弾性サスペンションと、
を備え、
前記少なくとも１つの慣性調節部材（２９、３０；  １１８）は、前記支持体（１５）に対して周波数ｆで振動するのに適する装置において、
前記弾性サスペンションは、前記少なくとも１つの慣性調節部材（２９、３０；  １１８）につなげられる第１の端と、周波数調整装置（５３；  １５３）によって前記支持体（１５）に連結される第２の端とを有する弾性調整リンク（３６、５５；  １５５）を備え、前記周波数調整装置（５３；  １５３）は、前記支持体（１５）に対して前記弾性調整リンク（３６、５５；  １５５）の前記第２の端の位置を修正し、それによって前記弾性サスペンションの全体剛性と、ひいては前記周波数ｆと、を変更するのに適することを特徴とする装置。
【請求項２】
前記周波数調整装置は、前記弾性調整リンク（３６、５５；  １５５）の前記第２の端につなげられる周波数調整部材（５３；  １５３）を備え、前記周波数調整部材（５３；  １５３）は、前記弾性調整リンク（３６、５５；  １５５）を変形させることができるように前記支持体（１５）に対して位置が調整可能である、請求項１に記載の装置。
【請求項３】
前記周波数調整部材（５３；  １５３）は、前記支持体（１５）に対して移動可能に搭載され、前記周波数調整部材（５３；  １５３）を前記支持体（１５）に対して妨害するのに適する妨害装置（５６；  １５６）を備える、請求項２に記載の装置。
【請求項４】
前記妨害装置はネジ（５６；  １５６）を備える、請求項３に記載の装置。
【請求項５】
前記周波数調整部材（５３）は、前記ネジ（５６）によって妨害されるのに適する偏心リンク（５３ａ、５６ｃ）によって前記支持体（１５）に連結される、請求項４に記載の装置。
【請求項６】
前記モノリシック機構（１３）は、歯（１７）が設けられ、エネルギー貯蔵装置（８）によって付勢されるように意図されるエネルギー分配部材（１０）と係合するのに適するパレット（１１）を追加的に備え、前記パレット（１１）は、前記エネルギー分配部材（１０）を均一に交互に妨害および解放するために前記少なくとも１つの慣性調節部材（２９、３０；  １１８）によって制御され、そのため前記エネルギー分配部材（１０）は、繰り返しの移動サイクルに従って前記エネルギー貯蔵装置（８）の付勢の下で段階的に移動し、前記パレット（１１）は、この繰り返しの移動サイクルの間に前記少なくとも１つの慣性調節部材（２９、３０；  １１８）に機械的エネルギーを伝えるのに適する、請求項２から５のいずれか一項に記載の装置。
【請求項７】
対称的で反対の移動を常に行うように互いに連結される第１および第２の慣性調節部材（２９、３０）を備え、
前記第１の慣性調節部材（２９）は前記パレット（１１）を制御し、
前記第２の慣性調節部材（３０）は、平衡部材（２５）を、前記パレット（１１）に対して対称的で反対の移動に従って前記平衡部材（２５）を移動するために制御し、
前記弾性調整リンク（３６、５５）は、第１および第２の弾性部品（３６、５５）の少なくとも一方を、前記第１の弾性部品（３６）が前記第２の慣性調節部材（３０）を前記平衡部材（２５）に連結する状態で、および、前記第２の弾性部品が前記平衡部材（２５）を前記周波数調整装置（５３）に連結する状態で、備える、請求項６に記載の装置。
【請求項８】
前記第１および第２の慣性調節部材（２９、３０）は、第１の並進方向（Ｏ１）における並進で振動するために前記支持体（１５）に搭載され、
前記パレット（１１）および前記平衡部材（２５）は、前記第１の並進方向（Ｏ１）と実質的に垂直な第２の並進方向（Ｏ２）において並進で振動するために前記支持体（１５）に弾性的に搭載され、
前記周波数調整装置（５３）は、前記支持体（１５）に対する前記弾性調整リンク（３６、５５）の前記第２の端の位置を、前記第２の並進方向（Ｏ２）と少なくとも平行に調整するのに適する、請求項７に記載の装置。
【請求項９】
前記第１および第２の慣性調節部材（２９、３０）の各々は、前記第１の並進方向（Ｏ１）に対して実質的に垂直な２つの弾性サスペンション枝部（３１）によって前記支持体（１５）に搭載され、
前記パレット（１１）および前記平衡部材（２５）は、前記第２の並進方向（Ｏ２）と実質的に垂直な２つの弾性サスペンション枝部（２３、２７）によって前記支持体（１５）にそれぞれ搭載される、請求項８に記載の装置。
【請求項１０】
前記弾性調整リンク（３６、５５）の前記第２の弾性部品（５５）は、前記第１の並進方向（Ｏ１）と実質的に平行で、前記周波数調整部材（５３）および前記平衡部材（２５）にそれぞれ連結される自由端を有する２つの枝部を備える少なくとも１つのＵ字形部品を備える、請求項８または９に記載の装置。
【請求項１１】
前記第１および第２の慣性調節部材（２９、３０）は枢動平衡レバー（２７）によって互いに連結される、請求項７から１０のいずれか一項に記載の装置。
【請求項１２】
前記パレットおよび前記平衡部材（２５）は、第１および第２の弾性駆動枝部（３６）によって前記第１および第２の慣性調節部材（２９、３０）にそれぞれつなげられる、請求項７から１１のいずれか一項に記載の装置。
【請求項１３】
前記周波数調整部材（５３）および前記支持体（１５）は、前記支持体（１５）に対する前記周波数調整部材（５３）の位置を視覚的に評価するのに適する対向インデックス（６０、６１）を備える、請求項２から１２のいずれか一項に記載の装置。
【請求項１４】
前記モノリシック機構（１３）は正中面（ＸＹ）に沿って延在し、前記慣性調節部材（１１８）は、前記正中面に対して直角で前記支持体（１５）に対して固定される中心軸（Ｚ’０）の周りに次数ｎの軸対称を実質的に有し、ｎは少なくとも２に等しい整数であり、前記慣性調節部材（１１８）は、ｎ個の弾性結合リンク（１２１）によって互いと対で連結されるｎ個の剛性部分（１２０）を備え、前記弾性サスペンション（１１９）は、前記支持体（１５）の各々の剛性部分（１２０）にそれぞれ連結するｎ個の弾性サスペンションリンク（１２２）を備える、請求項１から６のいずれか一項に記載の装置。
【請求項１５】
前記周波数調整装置は、枢動軸（Ｚ３）の周りに枢動することで実質的に調整可能に搭載され、前記枢動軸（Ｚ３）の近くに位置付けられる第１の先端（１５３ａ）と位置において調整可能である第２の先端（１５３ｂ）との間で延びる主本体を有する周波数調整部材（１５３）を備え、前記周波数調整部材（１５３）は、前記第１の先端（１５３ａ）から前記第２の先端（１５３ｂ）の反対まで延びるレバーアーム（１５３ｃ）を追加的に備え、前記レバーアーム（１５３ｃ）は前記弾性調整リンク（１５５）の前記第２の端につなげられ、前記レバーアーム（１５３ｃ）は前記周波数調整部材（１５３）の前記主本体より短い、請求項２から６及び１４のいずれか一項に記載の装置。
【請求項１６】
請求項１から１５のいずれか一項に記載の装置と、エネルギー分配部材（１０）とを備える時計仕掛けムーブメント（３）。
【請求項１７】
請求項１６に記載の時計仕掛けムーブメント（３）を備える時計（１）。